(57)【特許請求の範囲】
【請求項１】
色材の種類が異なる複数の色材インクと、前記複数の色材インク中の色材に作用し、色材の記録媒体への浸透を抑制させる成分を含むクリアインクと、のそれぞれを吐出するためのノズルを備えた記録ヘッドを有し、前記記録ヘッドと記録媒体との相対的な移動により画像を記録媒体に記録し、前記色材インクと前記クリアインクの間の相対的な記録位置調整を行うために、前記複数の色材インクのうちの第１の色材インクおよび第２の色材インクと、前記クリアインクと、を記録媒体上に吐出して、調整用パターンを記録媒体に記録する記録装置であって、
前記調整用パターンは、記録媒体における前記調整用パターンの記録領域に前記クリアインクを付与することにより記録される複数のクリアパターンと、前記クリアパターンを記録した後に、前記記録領域に前記第１の色材インクと前記第２の色材インクをこの順序で付与することにより記録される色材パターンと、を含み、
前記複数のクリアパターンにおける前記クリアインクによる記録部分と、前記第１の色材インクと前記第２の色材インクによる記録部分と、の重なりの割合を異ならせる複数の色材パターンを記録するように、前記記録ヘッドの記録動作を制御する制御手段を具えたことを特徴とするインクジェット記録装置。
【請求項２】
前記第２の色材インクは、前記色材パターンと前記クリアパターンとの重複部において前記第１の色材インクの上層で記録媒体に定着することを特徴とする請求項１に記載のインクジェット記録装置。 
【請求項３】
前記調整用パターンの記録において、前記第２の色材インクの記録位置は前記クリアインクの記録位置を調整するための基準となることを特徴とする請求項１または２に記載のインクジェット記録装置。
【請求項４】
前記調整用パターンは、前記クリアパターンと前記色材パターンとの記録位置のずれ量が各々異なる複数のパッチからなり、前記複数のパッチごとの、前記第１の色材インクおよび前記第２の色材インクによる記録部分と前記クリアインクによる記録部分とが重なる部分の大きさが異なることを特徴とする請求項１ないし３のいずれか１項に記載のインクジェット記録装置。
【請求項５】
前記調整用パターンを照射するための光源と、
前記光源が照射した前記調整用パターンからの反射光に基づき前記調整用パターンの光学特性を検出する検出手段と、
をさらに具え、
前記検出手段が検出する、前記第１の色材インクによる記録部分の濃度は、前記第２の色材インクによる記録部分の濃度よりも低いことを特徴とする請求項１ないし４のいずれか１項に記載のインクジェット記録装置。
【請求項６】
前記光源は、前記第１の色材インクおよび前記第２の色材インクによる記録部分と前記クリアインクが重ならない場合の、前記第１の色材インクおよび前記第２の色材インクによる記録部分の反射濃度が、前記第１の色材インクおよび前記第２の色材インクによる記録部分と前記クリアインクが重なる場合の、前記第１の色材インクおよび前記第２の色材インクによる記録部分の反射濃度より低くなる光源であることを特徴とする請求項５に記載のインクジェット記録装置。
【請求項７】
前記光源は赤色の光源であり、前記第１の色材インクはイエローインクまたはマゼンタインクであり、前記第２の色材インクはシアンインクまたはブラックインクであることを特徴とする請求項５または６に記載のインクジェット記録装置。
【請求項８】
前記光源は緑色の光源であり、前記第１の色材インクはシアンインクまたはイエローインクであり、前記第２の色材インクはマゼンタインクまたはブラックインクであることを特徴とする請求項５または６に記載のインクジェット記録装置。
【請求項９】
前記光源は青色の光源であり、前記第１の色材インクはマゼンタインクまたはシアンインクであり、前記第２の色材インクはイエローインクまたはブラックインクであることを特徴とする請求項５または６に記載のインクジェット記録装置。
【請求項１０】
前記第１の色材インクによる記録部の明度は、前記第２の色材インクによる記録部の明度よりも高いことを特徴とする請求項１ないし４のいずれか１項に記載のインクジェット記録装置。
【請求項１１】
前記クリアインクと、色材の種類が異なる複数の色材インクと、複数の光源と、を用い、前記調整用パターンの記録の前に、前記調整用パターンの記録に用いる第１の色材インクおよび第２の色材インクと、前記調整用パターンを照射するための光源の組み合わせを選択する選択手段をさらに具えたことを特徴とする請求項５ないし９のいずれか１項に記載のインクジェット記録装置。
【請求項１２】
前記調整用パターンに係るユーザーからの入力に基づく前記記録位置調整のための調整値を受け付けることを特徴とする請求項１乃至４のいずれか１項に記載のインクジェット記録装置。
【請求項１３】
前記記録ヘッドは、所定方向にノズルが配列され、前記第１の色材インク、前記第２の色材インク、および前記クリアインクの各々に対応するノズル列を有し、前記相対的な移動は前記所定方向と交差する方向に行われ、前記色材パターンは、前記複数のクリアパターンとの間の前記交差する方向における記録位置のずれ量が各々異なるように形成されることを特徴とする請求項１乃至１２のいずれか１項に記載のインクジェット記録装置。
【請求項１４】
前記第２の色材インクは、前記色材パターンと前記クリアパターンとが重なる部分では、前記色材パターンと前記クリアパターンとが重ならない部分と比べてより前記第１の色材インクの上層側に定着することを特徴とする請求項１乃至１３のいずれか１項に記載のインクジェット記録装置。
【請求項１５】
色材の種類が異なる複数の色材インクと、前記複数の色材インク中の色材に作用し、色材の記録媒体への浸透を抑制させる成分を含むクリアインクと、のそれぞれを吐出するためのノズルを備えた記録ヘッドを用いて記録媒体に記録を行うときの、前記クリアインクの記録位置調整を行うための記録位置調整方法であって、
前記複数の色材インクと前記クリアインクの間の相対的な記録位置調整を行うために、前記複数の色材インクのうちの第１の色材インクおよび第２の色材インクと、前記クリアインクと、を記録媒体上に吐出して、調整用パターンを記録媒体に記録する記録工程を有し、
前記調整用パターンは、記録媒体における前記調整用パターンの記録領域に前記クリアインクを付与することにより記録される複数のクリアパターンと、前記クリアパターンを記録した後に、前記記録領域に前記第１の色材インクと前記第２の色材インクをこの順序で付与することにより記録される色材パターンと、を含み、
前記記録工程において、前記複数のクリアパターンにおける前記クリアインクによる記録部分と、前記第１の色材インクと前記第２の色材インクによる記録部分と、の重なりの割合を異ならせる複数の色材パターンを記録するように、前記記録ヘッドの記録動作を制御することを特徴とする記録位置調整方法。
【発明の詳細な説明】
【技術分野】
【０００１】
本発明は、インクジェット記録装置および記録位置調整方法に関し、詳しくは、記録に際して色材インクとともに記録媒体に付与される、色材を含まないクリアインクの記録位置を調整する技術に関する。
【背景技術】
【０００２】
色材インクとともにクリアインクを用いることにより、記録物の堅牢性を向上させたり、記録濃度（ＯＤ）を増したりすることができる。このクリアインクの記録位置を調整する技術として、特許文献１には、クリアインクと色材インクの相対的な記録位置をずらした、いくつかのパターンを記録することが記載されている。そして、２つのインクのパターンが重なった場合と重なってない場合で色材インクによるパターンの色が変化することを利用してクリアインクの記録位置のずれ量を検出し、これに基づいて記録位置調整を行うものである。
【先行技術文献】
【特許文献】
【０００３】
【特許文献１】特開２０００−１４１６２４号公報
【発明の概要】
【発明が解決しようとする課題】
【０００４】
しかしながら、特許文献１に記載の技術では、色材インクとクリアインクが重なった領域と重ならない領域とで、色の変化量が比較的小さい場合がある。この場合には、記録位置のずれを良好に検出できず、結果として精度の高い記録位置調整を行うことができない。
【０００５】
本発明は、色材インクとクリアインクによる記録位置調整用パターンの記録において、色材インクとクリアインクが重なった領域と重ならない領域とで、色の変化量を大きくすることを可能とするインクジェット記録装置および記録位置調整方法を提供することを目的とする。
【課題を解決するための手段】
【０００６】
本発明のインクジェット記録装置は、色材の種類が異なる複数の色材インクと、前記複数の色材インク中の色材に作用し、色材の記録媒体への浸透を抑制させる成分を含むクリアインクと、のそれぞれを吐出するためのノズルを備えた記録ヘッドを有し、前記記録ヘッドと記録媒体との相対的な移動により画像を記録媒体に記録し、前記色材インクと前記クリアインクの間の相対的な記録位置調整を行うために、前記複数の色材インクのうちの第１の色材インクおよび第２の色材インクと、前記クリアインクと、を記録媒体上に吐出して、調整用パターンを記録媒体に記録する記録装置であって、前記調整用パターンは、記録媒体における前記調整用パターンの記録領域に前記クリアインクを付与することにより記録される複数のクリアパターンと、前記クリアパターンを記録した後に、前記記録領域に前記第１の色材インクと前記第２の色材インクをこの順序で付与することにより記録される色材パターンと、を含み、前記複数のクリアパターンにおける前記クリアインクによる記録部分と、前記第１の色材インクと前記第２の色材インクによる記録部分と、の重なりの割合を異ならせる複数の色材パターンを記録するように、前記記録ヘッドの記録動作を制御する制御手段を具えたことを特徴とする。
【発明の効果】
【０００７】
以上の構成によれば、色材インクとクリアインクによる記録位置調整用パターンの記録において、色材インクとクリアインクが重なった領域と重ならない領域とで、色の変化量を大きくすることが可能となる。
【図面の簡単な説明】
【０００８】
【図１】本発明の一実施形態に係るインクジェット記録装置の概略構成を示す模式図である。
【図２】図１に示す記録ヘッドのノズルを配した記録チップの構成を説明する図である。
【図３】図２に示すそれぞれの記録チップの、特にノズル配置を説明する図である。
【図４】図１に示す反射型光学センサの詳細を説明するための模式図である。
【図５】本発明の一実施形態に係るインクジェット記録装置の制御構成を示すブロック図である。
【図６】本発明の一実施形態に係る、色材インクの記録位置調整処理で用いるパターンを説明するための模式図である。
【図７】（ａ）〜（ｄ）は、図６に示すパターンについて、ＫドットとＣドットの記録位置が相対的に４つのずれ量でずれたパターンを示す図である。
【図８】図７（ａ）〜（ｄ）に示す記録位置調整用のパターンを用いたときの、記録位置のずれ量と反射濃度との関係を説明する図である。
【図９】クリアインクの記録位置調整用パターン（レジ調整パターン）を説明するための模式図である。
【図１０】（ａ）〜（ｄ）は、図９に示すパターンについて、クリアインクとＫインクの記録位置が相対的に４つのずれ量でずれたパターンを示す図である。
【図１１】図１０（ａ）〜（ｄ）に示す記録位置調整用のパターンを用いる場合の、記録位置のずれ量と反射濃度との関係を説明する図である。
【図１２】記録位置調整処理を示すフローチャートである。
【図１３】図１２に示すステップＳ１００の色材インクの記録位置調整の詳細を示すフローチャートである。
【図１４】図６に示した色材インクの記録位置調整用パターンを記録媒体Ｐに記録した例を示す図である。
【図１５】図１２に示すステップＳ２００のクリアインクの記録位置調整処理の詳細を示すフローチャートである。
【図１６】図９に示すクリアインクの記録位置調整用パターンを記録媒体に記録した例を示す図である。
【図１７】本発明の一実施形態に係る発光部で用いるＲ、Ｇ、Ｂ発色の発光ダイオードの色波長特性を示す図である。
【図１８】（ａ）〜（ｄ）は、上記発光部からの照射光の光学特性を利用した測定原理を説明するための図である。
【図１９】記録媒体に記録したブラック（Ｋ）の色材インクのドットの光学特性や光学センサを用いた測定結果を説明するための図である。
【図２０】同じく、記録媒体に記録したシアン（Ｃ）の色材インクのドットの光学特性や光学センサを用いた測定結果を説明するための図である。
【図２１】同じく、記録媒体に記録したマゼンタ（Ｍ）の色材インクのドットの光学特性や光学センサを用いた測定結果を説明するための図である。
【図２２】同じく、記録媒体に記録したイエロー（Ｙ）の色材インクのドットの光学特性や光学センサを用いた測定結果を説明するための図である。
【図２３】（ａ）〜（ｅ）は、クリアインクと色材インク単色を重ねて記録した場合と、重ねずに記録した場合の光学特性を説明する図である。
【図２４】（ａ）〜（ｄ）は、記録媒体にカラー１、カラー２の色材インクが順に着弾したときの浸透の様子などを説明するための、記録媒体の断面図である。
【図２５】（ａ）〜（ｆ）は、記録媒体にクリアインク、カラー１のインク、カラー２のインクが順に着弾したときの浸透の様子などを説明するための、記録媒体の断面図である。
【図２６】（ａ）〜（ｋ）は、クリアインクを用いる場合と用いない場合の光学特性の違いを説明する図である。
【図２７】本発明の第１実施形態に係るクリアインクの記録位置調整処理を示すフローチャートである。
【図２８】（ａ）〜（ｈ）は、図２７に示す記録位置調整における調整用パターンの記録を説明するための、記録媒体の模式的断面図である。
【図２９】本発明の第１実施形態に係る、クリアインクの記録位置調整用パターンおよびその記録順序を示す図である。
【図３０】本発明の第１実施形態のクリアインクの記録位置調整における各パッチの反射濃度を説明する図である。
【図３１】（ａ）〜（ｈ）は、本発明の第１実施形態の変形例に係る検出補助用パターンおよび基準用パターンの記録を説明する模式的断面図である。
【図３２】図３１に示す記録位置調整用パターンを記録するときの記録順序を示す図である。
【図３３】本発明の第２実施形態に係るクリアインクの記録位置調整処理を示すフローチャートである。
【図３４】図３３のステップ４００の、検査対象のインクと光源色の選択処理を示すフローチャートである。
【図３５】本発明の実施形態の他の形態に係る、検査対象のインクと光源色の選択処理を示すフローチャートである。
【発明を実施するための形態】
【０００９】
以下、図面を参照して本発明の実施形態を詳細に説明する。
【００１０】
図１は、本発明の一実施形態に係るインクジェット記録装置の概略構成を示す模式図である。記録装置１には、記録媒体の幅に相当する範囲にノズルを配列した、いわゆるフルラインタイプの記録ヘッド２が設けられる。記録ヘッド２として、クリアインクを吐出するための記録ヘッド２１、色材インクを吐出するためのヘッド２２（Ｃ、Ｍ、Ｙ、Ｋインクのヘッドが一体）の２つが設けられている。これら記録ヘッド各々は、記録媒体Ｐの搬送方向（副走査方向：Ｘ方向）と直交する方向（ノズル配列方向：Ｙ方向）に延在するよう配置される。また、クリアインク用記録ヘッド２１が、色材インク用記録ヘッド２２よりも搬送方向上流側に配置されており、これにより、クリアインクは色材インクよりも先に記録媒体に吐出、付与されることとなる。記録ヘッド２は、搬送用ベルト５を挟んでプラテン６と対向する位置に設けられる。記録ヘッド２は、ヘッド移動部１０によってプラテン６との対向方向において昇降させられる。このヘッド移動部１０は、制御部９によりその作動が制御される。また、記録ヘッド２には、インクを吐出するためのノズルと、インクタンク３のインクが供給される共通液室と、この共通液室から各ノズルへインクを導くインク流路とが設けられる。各ノズルには、例えば、インクに気泡を生じさせるための発熱抵抗素子（ヒータ）が設けられ、ヘッドドライバによってヒータを駆動することにより、それぞれのノズルからインクが吐出される。各ノズルのヒータは、ヘッドドライバ２ａを介して制御部９に電気的に接続されており、制御部９からのるオン／オフ信号（吐出／不吐出信号）に応じてヒータの駆動が制御される。
【００１１】
それぞれのインクごとの記録ヘッド２は、クリアインク、シアン（Ｃ）インク、マゼンタ（Ｍ）インク、イエロー（Ｙ）インク、ブラック（Ｋ）インクをそれぞれ貯留する５つのインクタンク３Ｒ、３Ｃ、３Ｍ、３Ｙ、３Ｋ（以下、これらをまとめてインクタンク３と言う）と接続配管４を介して接続されている。また、各インクタンク３は、それぞれ個別に着脱することができる。
【００１２】
制御部９は、記録装置１における各種処理を統括制御する。制御部９は、例えば、ＣＰＵ３３、ＲＯＭ３４やＲＡＭ３５等のメモリ等、ＡＳＩＣ等で構成される。
【００１３】
記録ヘッド２の側方には、記録ヘッド２の配列間隔に対して半ピッチずらした状態でキャップ７が配置される。そして、制御部９によってその作動が制御されるキャップ移動部８は、キャップ７を記録ヘッド２の側方の位置と直下の位置との間で移動させることができ、これにより、記録ヘッド２に対するキャッピングや予備吐出などの回復処理を行うことができる。記録媒体の搬送方向において、記録ヘッド２の下流側には、図４にて後述される反射型光学センサ３０が設けられる。反射型光学センサ３０はそのキャリッジによりＹ方向に動作可能であり、モータドライバ１７を介してその動作が制御される。
【００１４】
搬送用ベルト５は、ベルト駆動モータ１１に連結された駆動ローラに掛け渡され、駆動ローラが回転駆動されることによって、記録媒体Ｐを搬送する。搬送用ベルト５は、モータドライバ１２を介したその動作が制御される。搬送用ベルト５の上流側には、帯電器１３が設けられる。帯電器１３は、搬送用ベルト５を帯電することにより、記録媒体Ｐを搬送用ベルト５に密着させる。帯電器１３は、帯電器ドライバ１３ａを介してその通電のオン／オフが切り換えられる。一対の給送ローラ１４は、搬送用ベルト５上に記録媒体Ｐを供給する。給送用モータ１５は、これら一対の給送ローラ１４を駆動回転させる。給送用モータ１５は、モータドライバ１６を介してその動作が制御される。
【００１５】
なお、本発明を実施する上で、図１に示す記録装置の構成は一例であり、必ずしもそのような構成に限られない。例えば、記録ヘッドと記録媒体とが相対的に移動する構成であればよく、その構成は特に問わない。例えば、記録ヘッドが記録媒体に対して移動する構成であってもよい。
【００１６】
図２は、図１に示す記録ヘッド２のノズルを配した記録チップの構成を説明する図である。クリアインク用の記録ヘッド２１、色材インク用の記録ヘッド２２の各々は同様の構成であるため、色材インク用の記録ヘッド２２を例に挙げて説明する。記録ヘッド２２には、例えば有効吐出幅が約１インチの長さを持ち、かつシリコンで形成された記録チップＨ２００（Ｈ２００ａ〜Ｈ２００ｊ）が、ベース基板（支持部材）に千鳥状に１０個配置されている。Ｙ方向において隣接する記録チップＨ２００同士は、ノズル配列方向（Ｙ方向）にそれぞれ所定のオーバーラップ幅を持って配置されており、これによって、記録チップのつなぎ目においても隙間のない記録が可能となる。
【００１７】
図３は、図２に示すそれぞれの記録チップＨ２００の、特にノズル配置を説明する図である。記録チップＨ２００には、８つのノズル列Ｈ２０１〜Ｈ２０８が設けられている。ノズル列Ｈ２０１、Ｈ２０２はシアンインク、ノズル列Ｈ２０３、Ｈ２０４はマゼンタインク、ノズル列Ｈ２０５、Ｈ２０６はイエローインク、ノズル列Ｈ２０７、Ｈ２０８はブラックインク、にそれぞれ対応する。各ノズル列のノズル配列ピッチはいずれも６００ｄｐｉであり、各色の２つのノズル列は、相互に半ピッチずれて配置されている。これにより、各色インクについて、Ｙ方向の解像度が１２００ｄｐｉの記録が可能となる。また、各ノズル列は６００個のノズルから形成されており、従って、各色インクについて１２００個のノズルを備えることになる。
【００１８】
一方、本実施形態のクリアインク用の記録ヘッド２１の記録チップには、２つのノズル列（Ｈ２０７、Ｈ２０８）が設けられ、個の２つのノズル列も同様、相互に半ピッチずれて配され、Ｙ方向において１２００の解像度の記録が可能となる。また、ノズルの数も同様に１２００個である。なお、クリアインクの記録チップの構成として、図３に示す色材インク用の記録ヘッド２２と同様に、８つのノズル列を設け、そのうち、２つのノズル列Ｈ２０７、Ｈ２０８のみを用い、ノズル列Ｈ２０１〜Ｈ２０６を不使用とする形態であってもよい。なお、この場合に、ロバスト性向上のため全ノズル列にて記録を行うことや、不吐補完用の補助ノズルとして他ノズル列を使用することを制限するものではない。
【００１９】
図４は、図１に示す反射型光学センサ３０の詳細を説明するための模式図である。反射型光学センサ３０はＹ方向に動作可能なキャリッジ（不図示）に取り付けられ、発光部３１と受光部３２を有している。発光部３１から発した光（入射光）３５は、記録媒体Ｐにおいて反射され、その反射光３７は受光部３２によって検出される。反射光３７の検出信号（アナログ信号）は、フレキシブルケーブル（不図示）を介して制御部９（図１）に伝えられ、その制御部におけるＡ／Ｄ変換器によってディジタル信号に変換される。この光学センサ３０としては、比較的低解像度のものを用いることができ、これにより低コスト化を図ることができる。
【００２０】
図５は、本発明の一実施形態に係るインクジェット記録装置の制御構成を示すブロック図であり、主に、図１に示す制御部９の詳細な構成を示している。
【００２１】
コントローラ（制御部）９は、その機能的な構成として、ＣＰＵ３３、ＲＯＭ３４、ＲＡＭ３５、画像処理部３６、記録位置調整部３７を有して構成される。ＣＰＵ３３は、本実施形態の記録装置全体の動作を統括制御する。例えば、ＲＯＭ３４に格納されたプログラムに従って各部の動作を制御する。ＲＯＭ３４は、各種データを記憶する。ＲＯＭ３４には、例えば、記録媒体の種類に関する情報、インクに関する情報、温度や湿度等の環境に関する情報、各種制御プログラム等が格納される。画像処理部３６は、ホスト装置１００からインターフェース１００ａを介して入力された画像データに対して画像処理を行う。例えば、多値の画像データをＮ値の画像データに画素毎に量子化し、その量子化した各画素が示す階調値に対応するドット配置パターン割り当てる。そして、最終的には、各ノズル列に対応した吐出データ（記録データ）を生成する。記録位置調整部３７は、図２７などで後述される記録位置調整処理（レジ調整処理）を行なう。
【００２２】
ホスト装置１００は、画像データの供給源であり、記録に係る画像等のデータの作成、処理等を行うコンピュータとすることができる他、画像読み取り用のリーダ部等の形態であってもよい。画像データ、その他のコマンド、ステータス信号等は、インタフェース（Ｉ／Ｆ）１００ａを介してコントローラ９と送受信される。センサ群は、装置の状態を検出するためのセンサ群であり、図４にて上述した反射型光学センサ３０、ホームポジションを検出するためのフォトカプラ３２、および環境温度を検出するために適宜の部位に設けられた温度センサ３１などを有する。ヘッドドライバ２ａは、記録データ等に応じて記録ヘッド２を駆動するドライバである。ヘッドドライバ２ａは、記録データを吐出ヒータの位置に対応させて整列させるシフトレジスタ、適宜のタイミングでラッチするラッチ回路、駆動タイミング信号に同期して吐出ヒータを作動させる論理回路素子の他、記録位置合わせのために駆動タイミング（吐出タイミング）を適切に設定するタイミング設定部等を有する。モータドライバ１６は給送モータ１５の駆動を制御するドライバであり、記録媒体を給紙するため用いられる。モータドライバ１２は搬送用ベルト５を動かすベルト駆動モータ１１の駆動を制御するドライバであり、記録媒体ＰをＸ方向に搬送するために用いられる。モータドライバ１７は、反射型光学センサ３０のキャリッジの駆動を制御するドライバである。帯電気ドライバ１３ａは搬送用ベルト５を帯電し、記録媒体Ｐを搬送用ベルト５に密着させるために用いられる。
【００２３】
＜色材インクとクリアインク＞
クリアインクは、色材を含まない液体であり、その成分は、色材インクが顔料インクの場合は、顔料色材を凝集または析出させるものであり、色材インクが染料インクの場合は、染料色素を析出させるものである。本実施形態では、クリアインクは、硝酸カルシウム・４水和物、グリセリン、界面活性剤、および水を含むものであり、色材インクは顔料を色材とする顔料インクを用いる。記録媒体において、クリアインクが予め付与された領域に色材インクが着弾すると、多価金属塩が色材インクの色材である顔料もしくは染料に作用し、不溶性もしくは難溶性の金属複合体が凝集もしくは析出する。その結果、色材インク中の色材成分の記録媒体内部への浸透が抑制され、記録媒体表層付近に残りやすくなる。
【００２４】
＜色材インクの記録位置調整パターン＞
以下の説明では、記録媒体上の所定の領域に対して、記録装置により記録された領域の比率を「エリアファクタ」という。例えば、記録媒体上の所定の領域内の全体に渡ってドットが記録されている場合はエリアファクタは１００％、全く形成されていない場合は０％、記録された面積がその領域の面積の半分ならエリアファクタは５０％となる。
【００２５】
図６は、本発明の一実施形態に係る、色材インクの記録位置調整処理で用いるパターン（レジ調整パターン）を説明するための模式図である。同図は、色材インクであるＣ、Ｍ、Ｙ、Ｋインクそれぞれの記録位置調整用パターンのうち、同じ記録チップにおける、Ｘ方向の、シアン（Ｃ）インクの記録位置を、ブラック（Ｋ）インクの記録位置に合わせるための記録位置調整（色間Ｘ方向記録位置調整）のためのパターンを示している。図６において、網がけの相対的に濃いドットは、Ｋインクのノズル配列の各ノズルから吐出されたインクによって記録されたドットであり、斜線の相対的に薄いドットは、同じくＣインクによって記録されたドットを示している。各ドットの間隔はＸ、Ｙ方向ともに１２００ｄｐｉ相当であり、Ｘ方向において４ドット毎にＫインクとＣインクのドットを交互に配置するものである。
【００２６】
図７（ａ）〜（ｄ）は、図６に示すパターンについて、ＫインクとＣインクの記録位置が相対的に４つのずれ量でずれたパターンを示す図である。図示を簡易にするため、Ｋドットが記録される領域は網がけの濃い長方形で、Ｃドットが記録される領域は斜線の薄い長方形で表している。
【００２７】
図７（ａ）は、ＫインクとＣインクの相対的な記録位置が理想的に合っている（ずれ量が０）状態のパターンを示している。一方、図７（ｂ）は、相対的な記録位置が所定量ずれた状態、図７（ｃ）、（ｄ）は相対的記録位置がさらにずれた状態のそれぞれパターンを示している。これらの図からも明らかなように、この記録位置調整用パターンは、相互の記録位置のずれが大きくなるにしたがって、そのパターン全体の濃度が低下する。すなわち、図７（ａ）に示すパターンは、ＫドットとＣドットを合わせたエリアファクタは略１００％である。図７（ｂ）〜（ｄ）に示すように、記録位置のずれ量が大きくなるにしたがって、ＫドットとＣドットの重なりが大きくなり、ドットが形成されない領域、すなわちドットによって覆われていない領域が広がる。パターン全体の濃度は、ドットが重なることによる濃度変化よりも、エリアファクタの変化に強く依存することから、エリアファクタの低下に伴いパターン全体の濃度が低下する。
【００２８】
本実施形態は、図６、図７にて説明した記録位置調整用パターンを、Ｋインクのノズル列からの吐出タイミングを基準として、Ｃインクのノズル列からの吐出タイミングを所定量ずつずらすことによって、記録する。
【００２９】
なお、Ｙ方向の記録位置調整のためのパターンは、図７（ａ）〜（ｄ）に示すパターンを９０度回転させたパターンとすることができ、これらのパターンは、各色インクについて所定の数の連続するノズルでパターンを記録し、このパターン記録に用いる、連続した所定数のノズルの範囲をずらすことによって記録することができる。
【００３０】
図８は、図７（ａ）〜（ｄ）に示すような記録位置調整用のパターンを、９つ用いた場合の、記録位置のずれ量と反射濃度との関係を説明する図である。図８において、縦軸は反射濃度（ＯＤ値）であり、横軸は記録位置のずれの量である。光学センサ３０（図４）を用いる場合、反射率Ｒは、Ｒ＝Ｉｒｅｆ／Ｉｉｎで表され、透過率Ｔ＝１−Ｒである。そして、反射濃度ｄは、ｄ＝−Ｌｏｇ（Ｒ）という関係がある。上述したように、ＣドットとＫドットの記録位置のずれの量が”０”のときにエリアファクタが１００％となるから、反射率Ｒは最も小さくなる。すなわち、反射濃度ｄが最大となる。そして、ＣドットとＫドットの記録位置がＸ方向に対し＋、および−のいずれの方向にずれても、反射濃度ｄは小さくなる。
【００３１】
記録位置調整のための調整値を取得する処理では、図１４に示すような相対的なずれ量が異なる記録位置調整用の９つのパターンを記録し、それらの濃度を測定する。そして、測定した４つの濃度から、例えば最小二乗法による曲線近似によって、そのときの記録位置ずれに応じた図８に示すような曲線を得、その曲線において濃度の最大位置を求める。そして、その最大濃度に対応するＸ方向のずれ量が、そのときの最も相互の記録位置が合っている記録タイミングに対応していることになる。これにより、そのずれ量に対応した記録タイミングを調整値とすることができる。
【００３２】
なお、上例は、同じ記録チップ内のＣインクのＸ方向の記録位置を、Ｋインクの記録位置に合わせるための色間Ｘ記録位置調整に用いる調整パターンの例を説明したが、Ｙ方向の色間記録位置調整（色間Ｙ記録位置調整）も同様に実施することができる。また、隣接する記録チップのオーバーラップ領域について、各記録チップのＫインク同士でパターンを形成することで、隣接する記録チップ間の記録位置調整（チップ間記録位置調整）も同様に実施することができる。
【００３３】
＜クリアインクの記録位置調整パターン＞
図９は、クリアインクの記録位置調整用パターン（レジ調整パターン）を説明するための模式図である。図に示すパターンは、クリアインクと色材インクのＸ方向の記録位置を調整するためのパターンである。以下では、クリアインクの記録位置をブラック（Ｋ）インクの記録位置を基準として調整するパターンを例に説明する。
【００３４】
図９において、白抜き薄いドットはクリアインクのドットを、網がけの濃いドットはＫインクのドットをそれぞれ示している。各ドットの間隔はＸ、Ｙ方向ともに１２００ｄｐｉであり、それぞれのドットによって形成された１辺１８ドットの正方形が、互いに重ならないように千鳥格子状に配置されている。ここで、１２００ｄｐｉの画素にドットを１つ形成する状態を、「ベタ」記録と言う。標準的な普通紙においては、ベタ記録をした場合のエリアファクタは略１００％となる。
【００３５】
図１０（ａ）〜（ｄ）は、図９に示すパターンについて、クリアインクとＫインクの記録位置が相対的に４つのずれ量でずれたパターンを示す図である。図示を簡易化するため、クリアインクドットが記録される領域（クリアインクベタ部）は白抜きの正方形で、Ｋドットが記録される領域（Ｋベタ部）は網がけの正方形で表している。
【００３６】
図１０（ａ）は、クリアインクとＫインクの相対的な記録位置が理想的に合っている（ずれ量が０）状態のパターンを示している。一方、図１０（ｂ）は、相互の記録位置が少しずれたときの状態、図１０（ｃ）は、相互の記録位置がさらにずれた状態、図１０（ｄ）は、さらに大きくずれた状態のパターンをそれぞれ示している。この記録位置調整用パターンは、記録位置のずれが大きくなるにしたがって、クリアインクドットとＫインクドットの重なる割合が増加し、重なり部ではＫインクが凝集して濃度が増すことで、パターン全体の濃度が増加する。すなわち、図１０（ａ）の状態では、重なり率は略０％である。図１０（ｂ）、（ｃ）に示すように相互の記録位置がずれるにしたがって重なり率は増加し、図１０（ｄ）では重なり率は略１００％となる。このように、重なり率と、前述したエリアファクタは相反する関係にある。クリアインクは色材を有していないことから、単体ではエリアファクタが増えても濃度への寄与はほとんど無い。しかし、Ｋインクが重なることによって、重なり部のＫインクが凝集して濃度が増す。すなわち、図７（ａ）〜（ｄ）に示す、色材インクインク間の記録位置調整とは異なり、クリアインクドットとＫインクドットとの重なり率が増えることにより、パターン全体の濃度は増加する。
【００３７】
なお、Ｙ方向の記録位置調整のためのパターンは、図１０（ａ）〜（ｄ）に示すパターンを９０度回転させたパターンとすることができ、これらのパターンは、各色インクについて所定の数の連続するノズルでパターンを記録し、このパターン記録に用いる、連続した所定数のノズルの範囲をずらすことによって記録することができる。
【００３８】
図１１は、図１０（ａ）〜（ｄ）に示すような記録位置調整用のパターンを、７つ用いた場合の、記録位置のずれ量と反射濃度との関係を説明する図である。クリアインクドットとＫインクドットの記録位置のずれ量が”０”のときに重なり率が略０％となり、反射率Ｒは最も高くなる。すなわち、反射濃度ｄが最小となる。クリアインクドットとＫインクドットの記録位置がＸ方向に対して＋および−のいずれの方向にずれても、反射濃度ｄは増加する。
【００３９】
クリアインクの記録位置調整のための調整値を取得する処理では、図１６に示すような相対的なずれ量が異なる記録位置調整用の７つのパターンを記録し、それらの濃度を測定する。そして、測定した４つの濃度から、例えば最小二乗法による曲線近似によって、そのときの記録位置ずれの状態に応じた図１１に示すような曲線を得、その曲線において濃度の最小位置を求める。そして、その最小濃度に対応するＸ方向のずれ量が、そのときの最も相互の記録位置が合っている記録タイミングに対応していることになる。これにより、そのずれ量に対応した記録タイミングを調整値とすることができる。
【００４０】
本例のＸ方向における記録位置のずれは、クリアインクの吐出タイミングをＫインクの吐出タイミングに対してずらすことによって行う。Ｙ方向については、色材インクインク間の記録位置調整と同様、ノズルに対する記録データのずらしによって実現することができる。また、ドットサイズや記録位置調整の精度等に応じてパターンは変更することも可能である。
【００４１】
＜記録位置調整＞
図１２は、記録位置調整処理を示すフローチャートである。
【００４２】
最初に、ステップ１００で、色材インク同士の記録位置調整（レジ調整）を行う。色材インクの記録位置調整には、隣接チップ間の記録位置を合わせるチップ間記録位置調整と、同チップ内の他色との記録位置を合わせる色間記録位置調整が含まれる。チップ間記録位置調整では、記録チップＨ２００ａ（図２）を基準とし、隣接する各記録チップ同士の記録位置を調整する。
【００４３】
チップ間記録位置調整では、記録チップ間のＫインク同士で記録位置調整用パターンを記録し、その測定値をその記録チップの代表値として使用する。調整は、Ｘ方向の記録位置調整は記録チップごとの吐出タイミングを制御することにより実施し、Ｙ方向の記録位置調整は記録チップごとの吐出データをＹ方向にシフトさせることにより実施する。色間記録位置調整では、Ｋインクのノズル列Ｈ２０７、Ｈ２０８を基準として、記録チップごとにＣ、Ｍ、Ｙインクのノズル列による記録位置を調整する。調整値は、同記録チップ内のブラックと該当色にて記録位置調整パターンを記録し、その測定値を該当色のノズル列の調整値として使用する。調整は、Ｘ方向の記録位置調整は記録チップごとに色ごとの吐出タイミングを制御することにより実施し、Ｙ方向の記録位置調整は記録チップごとに色ごとの吐出データをＹ方向にシフトさせることにより実施する。
【００４４】
次に、ステップ２００で、クリアインクの記録位置調整を行う。クリアインクの記録位置調整は、Ｙ方向において同位置にある記録チップ同士の記録位置を合わせる調整であり、記録チップごとに実施する。例えば、クリアインク用の記録ヘッド２１の記録チップＨ２００ａと色材インク用の記録ヘッド２２の記録チップＨ２００ａとの間で行う。
【００４５】
クリアインクの記録位置調整では、Ｋインクのノズル列Ｈ２０７、Ｈ２０８を基準として、記録チップごとにクリアインクのノズル列による記録位置を調整する。調整値は、クリアインクと色材インクにて記録位置調整パターンを記録し、その測定値をクリアインクの該当記録チップの調整値として使用する。調整は、Ｘ方向の記録位置調整は記録チップごとにクリアインクの吐出タイミングを制御することにより実施し、Ｙ方向の記録位置調整は記録チップごとにクリアインクの吐出データをＹ方向にシフトさせる、すなわち、使用するノズルの範囲をシフトすることにより実施する。ここで、各方向における記録位置調整の解像度は、Ｙ方向はノズルの実質解像度である１２００ｄｐｉ単位であり、Ｘ方向は吐出タイミング制御により４８００ｄｐｉまでの調整が可能である。
【００４６】
図１３は、図１２に示すステップＳ１００の色材インクの記録位置調整処理の詳細を示すフローチャートである。
【００４７】
最初に、ステップ１０１で、Ｘ方向およびＹ方向のそれぞれについて、色材インクの記録位置調整パターンを記録する。色材インクの記録位置調整パターンには、チップ間記録位置調整用の調整パターン、色間記録位置調整用の調整パターンが含まれる。次に、ステップ１０２で、光学センサ３０によって、それらのパターンの光学特性（本実施形態では、濃度）を測定する。そして、ステップ１０３で、測定したパターンの光学特性に基づいて、Ｘ方向およびＹ方向のそれぞれについて、適切な記録位置合わせ条件（調整置）を求める。その記録位置合わせ条件は、上述したように、例えば最小二乗法による曲線近似のピーク値を用いて求めることができる。ステップ１０５では、求めた記録位置合わせ条件に基づき、Ｙ方向については、吐出データのシフト量を設定（ステップ１０４）、Ｘ方向については、吐出タイミングの変更設定（ステップ１０５）を行う。
【００４８】
図１４は、図６に示した色材インクの記録位置調整用パターンを記録媒体Ｐに記録した例を示す図である。図に示す例は、図７（ａ）〜（ｄ）に示した例の４つとは異なり、ＫインクとＣインクに関して記録位置の相対的なずれ量が異なる９つのパターンを記録した例である。以下では、これらの各パターンをパッチともいう。この９通りのパッチにおいて、ＫインクとＣインクの記録開始タイミングについては、例えばＫインクを固定とする。一方、Ｃインクの開始タイミングについては現在設定されている開始タイミングと、それより早い４段階の開始タイミング、それより遅い４段階の開始タイミングの計９通りのタイミングによって記録する。このような記録開始タイミングの設定、およびそれに基づく９通りのパッチの記録は、所定の指示入力によって起動されるプログラムにより実行することができる。
【００４９】
このようにして記録位置調整パターンとしてのパッチ（ａ）ないし（ｉ）を記録した後、それらの対向位置に、キャリッジに搭載された反射型光学センサ３０が位置するように、記録媒体Ｐとキャリッジを移動させ、各パッチの光学特性（濃度）を測定する。この測定結果は、図８にて上述したように、その調整時の記録位置ずれの状況に応じたものであり、必ずしも中央部の濃度が最も高くなるものでないことはもちろんである。
【００５０】
なお、ノイズの影響を低減するべく、キャリッジを停止させて測定を行ったり、スポット径の大きいセンサを使用したり、複数点の測定結果を平均化するなどを行ってもよい。これにより、記録されたパターン上の局所的な光学特性（例えば反射光学濃度）のばらつきを平均化して、精度の高い反射光学濃度の測定を行うことができる。
【００５１】
図１５は、ステップＳ２００のクリアインクの記録位置調整処理の詳細を示すフローチャートである。
【００５２】
最初に、ステップ２０１で、Ｘ方向およびＹ方向のそれぞれについて、クリアインクの記録位置調整用パターンを記録する。次に、ステップ２０２で、光学センサ３０によって、そのパターンの光学特性（濃度）を測定する。そして、ステップ２０３で、測定したパターンの光学特性に基づいて、Ｘ方向およびＹ方向のそれぞれについて、適切な記録位置合わせ条件（調整値）を求める。その位置合わせ条件は、図１１にて上述したように、例えば最小二乗法による曲線近似のピーク位置を用いて求めることができる。次に、求めた記録位置合わせ条件に基づき、Ｙ方向については、クリアインクの吐出データのシフト量設定（ステップ２０４）、Ｘ方向については、吐出タイミングの変更設定（ステップ２０５）を行う。
【００５３】
図１６は、図９にて上述したクリアインクの記録位置調整用パターンを記録媒体Ｐに記録した例を示す図である。図に示す例は、図１０（ａ）〜（ｄ）に示す４つのパッチのパターンとは異なり、記録位置の相対的なずれ量が異なる７つのパッチの例を示している。この７通りのパッチにおいて、クリアインクとＫインクの記録開始タイミングについては、基準となるＫインクを固定とする。一方、クリアインクの開始タイミングについては現在設定されている開始タイミングと、それより早い３段階の開始タイミング、それより遅い３段階の開始タイミングの計７通りのタイミングとする。このような記録開始タイミングの設定、およびそれに基づく７通りのパッチの記録は、所定の指示入力によって起動されるプログラムにより実行することができる。
【００５４】
＜センサ光源と反射濃度＞
次に、クリアインクの記録位置調整用パターンの光学センサ３０を用いた測定の詳細を説明する。本実施形態の反射型光学センサ３０は、記録装置で用いるクリアインク、色材インクの色調、記録ヘッドの構成等に応じて、発光部３１として、赤色（Ｒ光源）、緑色（Ｇ光源）、青色（Ｂ光源）の３種の発光ダイオード（ＬＥＤ）から、選択して用いる。
【００５５】
図１７は、発光部３１で用いるＲ、Ｇ、Ｂ発色の発光ダイオードの色波長特性を示す図であり、光源の色ごとの波長に対する光の強度を示している。図１７に示すように、左から順に、青色（Ｂ光源）は、ピーク波長が４７０ｎｍ付近にある波長特性、緑色（Ｇ光源）はピーク波長が５３０ｎｍ付近にある波長特性赤色（Ｒ光源）はピーク波長が６２０ｎｍ付近にある波長特性である。
【００５６】
図１８（ａ）〜（ｄ）は、発光部３１からの照射光の光学特性を利用した測定原理を説明するための図である。図１８（ａ）は、発光部３１のＲ、Ｇ、Ｂ各光源のうち、Ｒ光源の波長特性を示している。図１８（ｂ）は、ドットが形成されていない記録媒体自体の反射率の波長特性を示しており、これは、ドット非形成部における記録媒体自身の色によるものである。図１８（ｃ）は、記録媒体自身の光吸収率の波長特性を示しており、これは、上述の反射率を１００％から減算したものである。図１８（ｄ）は、Ｒ光源からの光の、記録媒体からの反射光の波長特性を示しており、波長に対する光の強度（反射光強度）の関係を表している。
【００５７】
本実施形態で用いる記録媒体は、図１８（ｂ）ないし（ｃ）に示すように、可視領域の波長に全体にわたり反射率は高く、吸収率は低いものである。従って、図１８（ｄ）に示す、Ｒ光源の光の反射光の光学特性は、光の強度については記録媒体の光の吸収によってわずかに減少しているが、波長特性は、図１８（ａ）に示すＲ光源自体のものと、それほど変わらない。図１８（ｄ）における斜線部は、可視領域の波長の光の強度を測定する素子の測定出力に寄与する部分である。実際には測定素子の感度特性が影響するのであるが、以下では、説明を分かりやすくするために、この斜線部の面積分がそのまま光学センサの測定結果（反射濃度）となるものとする。斜線部の面積が大きい場合は反射濃度が低く、斜線部の面積が小さい場合は反射濃度が高いということになる。
【００５８】
次に、色材インクの色調と光源色との関係について説明する。以下では、光源色としてＲ光源を用いた場合を例にして説明する。
【００５９】
図１９〜図２２は、記録媒体にそれぞれブラック（Ｋ）、シアン（Ｃ）、マゼンタ（Ｍ）、イエロー（Ｙ）の各色材インクのドットを形成し、それらの光学特性や光学センサを用いた測定結果を説明するための図である。図１９〜図２２の（ａ）は、Ｒ光源の波長特性を示している。図１９〜図２２の（ｂ）は、記録媒体における各色インクのドット形成部（記録部分）の反射率を示しており、これは、各色インクによるドット形成部の発色によるものである。図１９〜図２２の（ｃ）は、記録媒体における各インクのドット形成部の吸収率を示しており、上記反射率を１００％から減算したものである。図１９〜図２２の（ｄ）は、記録媒体からのＲ光源の反射光の波長特性を示しており、これは反射光の波長と強度との関係を表している。
【００６０】
例えば、図１９に示すＫインクの場合、図１９（ｂ）に示すように、全波長域で反射率が低く、逆に、図１９（ｃ）に示すように、全波長域で吸収率が高いことが分かる。このため、赤色の領域である波長６２０ｎｍ付近において、Ｋドットの反射光強度は、図１９（ｄ）に示すように弱くなり、従って、反射濃度が高くなる。その結果、図１８（ｄ）に示した紙白部（記録媒体の）の反射光強度と比較すると、その差は大きい。
【００６１】
図２０に示すＣインクの場合、図２０（ｂ）に示すように、その色調に対応する波長４６０ｎｍ付近に反射率のピークがあり、逆に、図２０（ｃ）に示すように、その色調に対応する波長以外の可視領域の吸収率が高いことが分かる。従って、赤色の領域である波長６２０ｎｍ付近において、Ｃドットの反射光強度は、図２０（ｄ）に示すように、弱く、反射濃度が高くなる。その結果、Ｋインクと同様に、紙白部の反射光強度との差は比較的大きい。
【００６２】
図２１、図２２に示す、それぞれＭインク、Ｙインクの場合、反射率はそれぞれ図２１（ｂ）、図２２（ｂ）に示すような波長特性を有し、それに伴い吸収率は、図２１（ｃ）、図２２（ｃ）に示すものとなる。すなわち、Ｍインク、Ｙインクは、赤色の領域である波長６２０ｎｍ付近において吸収率が低くなっているのが分かる。従って、Ｒ光源に対するＭドット、Ｙドットの反射光強度はそれぞれ、図２１（ｄ）、図２２（ｄ）に示すように比較的強くなり、反射濃度は比較的低くなる。その結果、図１８（ｄ）で示した紙白部の反射光強度と比較した場合、その差は小さいものとなる。
【００６３】
＜記録位置調整パターンの反射濃度＞
色材インクの記録位置調整は、図７（ａ）〜（ｄ）に示すようなパターンを用い記録位置ずれに応じたエリアファクタの変化を検出することによって行うものである。この点で、紙白部（記録媒体の地の部分）とドットが形成された部分との間の、光源による反射光強度の差が大きくなるほど、Ｓ／Ｎ比が向上し検出精度を高めることができる。従って、色材インクの記録位置調整を行う場合は、紙白部の比較的大な反射光強度に対して、調整を行う２つのインクそれぞれの反射光強度が弱くなるような（反射濃度が高くなるような）光源色を選択することが好ましい。
【００６４】
具体的には、例えば，ＫインクとＣインクの記録位置調整を行う場合は、赤色の光源色を選択することが好ましい。すなわち、互いのインクの記録位置が合っている場合は、図７（ａ）に示したように、ＫドットとＣドットを合わせたエリアファクタが略１００％となる。その結果、Ｒ光源の下、反射強度は、図１９（ｄ）と図２０（ｄ）に示したそれぞれの強度が混在したものとなり、従って、反射濃度が高い状態となる。一方、互いのインクの記録位置が比較的大きくずれて、図７（ｄ）に示したようにエリアファクタが低い場合は、記録媒体の露出面積が増える。その結果、Ｒ光源の下、図１８（ｄ）に示したような紙白部からの反射光強度と同様の反射強度となり、結果として記録部の全体的な反射濃度は低くなる。
【００６５】
同様の理由から、ＫインクとＭインクの記録位置調整を行う場合は緑色の光源色を、ＫインクとＹインクの記録位置調整を行う場合は青色の光源色を選択して使用することが好ましい。
【００６６】
なお、ブラックインク以外のカラー（ＣＭＹ）インク同士の記録位置調整は、例えば、各色を全てブラックに合わせるように記録位置調整をすることで実現できる。ブラックはＲＧＢの全ての光源において反射光強度が弱いため、ブラックに対して記録位置合わせを行う他の色材インクの色調に応じて、光源色を赤色（Ｒ光源）、緑色（Ｇ光源）、青色（Ｂ光源）のうち、吸光特性が優れるものを選択して光学特性の測定を行うことができる。これにより、パッチにおける色材インクのドットの合計のエリアファクタの変化をより精度良く検出することが可能となり、結果として色材インクの記録位置調整の精度を向上することができる。
【００６７】
一方、クリアインクの記録位置調整に用いる色材インク（の色調）と光源色との関係については、以下のとおりである。
【００６８】
クリアインクの記録位置調整は、図１０、図１１にて上述したように、基準となる色材インクとクリアインクの相対的なずれ量を変えて記録し、重なり部の色変化を光学特性の変化として検出することによって行うものである。
【００６９】
図２３（ａ）〜（ｅ）は、クリアインクと色材インク単色を重ねて記録した場合と、重ねずに記録した場合の光学特性を説明する図である。図２３（ａ）は、上述した光学特性を説明する図と同様、Ｒ光源の波長特性を示している。
【００７０】
図２３（ｂ）は、記録媒体においてＫインク単体の場合と、Ｋインクがクリアインクと重なった場合、それぞれのドット形成部の反射率の波長特性を示している。ここで、図２３（ｂ）において、実線はＫインクがクリアインクに重なった場合の特性を、破線はＫインク単色の場合の特性を示している。図２３（ｃ）、（ｄ）においても同様である。図２３（ａ）において、実線で示す重なった場合の方が、破線で示すＫインク単独の場合に比べて全波長域で反射率が低くなっている。すなわち、Ｋインクはクリアインクと重なることにより、濃度が高くなることが分かる。図２３（ｃ）は、記録媒体上におけるＫドット形成部の吸収率の波長特性を示している。これは、上述の反射率を１００％から減算したものである。図２３（ｄ）は、Ｒ光源の下での、記録媒体からの反射光の波長特性を示しており、反射光の波長と強度との関係を表している。図２３（ｅ）は、図２３（ｄ）に示した反射光の波長特性（反射光強度）の差分を示している。これは、Ｋインク単体と、Ｋインクがクリアインク上に重なった場合との、反射光の波長と強度の差分を表している。本発明の一実施形態に係る、クリアインクの記録位置調整では、この差分を利用してクリアインクの記録位置調整を行う。
【００７１】
具体的には、図１０（ａ）に示した、クリアインクドットとＫドットが全く重なっていない記録位置の関係では、反射光強度は、図１８（ｄ）に示される反射光強度と、図２３（ｄ）における破線で示される反射光強度を混在させたものとなる。一方、図１０（ｄ）に示した、クリアインクドットとＫドットが完全に重なる記録位置の関係では、反射光強度は、図１８（ｄ）に示される反射光強度と、図２３（ｄ）において実線で示される反射光強度を混在させたものとなる。すなわち、上述した、クリアインクとＫインクを単に重ねることを利用した記録位置調整では、重なった場合と重ならない場合との間で、反射光強度つまり測定する濃度に大きな差がない場合があり、この場合には、記録位置のずれによるエリアファクタの変化に応じた濃度の変化を有意に検出できないことになる。このように、クリアインクのドット単体では、Ｒ、Ｇ、Ｂいずれの光源の波長領域においてもほとんど吸収に寄与せず、色材インクの記録位置調整で上述したように、エリアファクタの変化を反射光強度の変化として検出するのは困難になる。
【００７２】
なお、従来技術によるクリアインクの記録位置調整では、クリアインクによる色材インクの凝集作用を利用し、クリアインクと色材インクが重なった場合と、重なってない場合の濃度差を光学特性の差分として検出し、相対的な位置関係を検出している。しかし、上述したように、色材インクの記録位置調整パターンのようにエリアファクタの変化を検出する場合に比べて、クリアインクの記録位置調整パターンで用いたような凝集による反射濃度変化は変化量が少なく、検出精度が低下する場合がある。例えば、反射型光学センサや電気回路などデバイスのコストダウンや、使用するメディアやインクの特性などにより上記変化量が低減した場合、検出すべき差分がノイズに埋もれて検出し難くなる可能性がある。
【００７３】
これに対し、本発明は、クリアインクと色材インクが重なった場合と、重なってない場合の反射濃度の差分が大きい記録位置調整用パターンを記録するものである。以下、そのいくつかの実施形態について説明する。
【００７４】
（第１実施形態）
図２４および図２５は、二つの異なる色調の色材インクが記録媒体の同じ位置に着弾したときの浸透の様子を説明するための、記録媒体の断面図である。図２４（ａ）〜（ｄ）は、記録媒体にカラー１、カラー２の色材インクが順に着弾した場合を、図２５（ａ）〜（ｆ）は、記録媒体にクリアインク、カラー１のインク、カラー２のインクが順に着弾した場合を示している。
【００７５】
図２４（ａ）に示すように、記録ヘッドからカラー１のインク滴２４１が吐出される。このインク滴は、記録媒体の紙白部に着弾することにより、インクに含まれる溶剤が記録媒体内部に浸透し、インクに含まれる固形分である色材が記録媒体の表層に定着する。これにより、図２４（ｂ）に示すように、ドット２４２が形成される。続いて、図２４（ｃ）に示すように、記録ヘッドから吐出されたカラー２のインク滴２４３吐出される。そして、このインク滴は、記録媒体に形成されたドット２４２に重なるように着弾するこのように、記録媒体上に既にインク滴が着弾してドットが形成されていると、図２４（ｄ）に示すように、同位置に後から着弾したインク滴２４３は既に形成されたドット２４２の奥深くまで浸透し、ドット２４４の位置まで浸透する。これは、先に着弾しているインクによって記録媒体の濡れ性が増し、浸透しやすい状態になっているためである。このように、クリアインクが無い領域に２つの異なる色調のインクを吐出した場合、後から着弾するカラー２のインク滴２４３が記録媒体の深部まで浸透することにより、記録媒体の表層には先に着弾したカラー１のインク滴２４１のドット２４２が残る。その結果、ドットが重なった部分ではカラー１の色が支配的に観察されることになる。なお、図２４では、浸透位置を簡略的に表現するためドット２４２とドット２４４を分離して表現しているが、後から着弾したカラー２のインク滴２４３の色材の一部も表層に残る場合がある。
【００７６】
一方、クリアインクと２種類のインクを用いる場合は、図２５（ａ）に示すように、記録ヘッドからクリアインクのインク滴２４５が吐出される。このインク滴は、図２５（ｂ）に示すように、記録媒体の紙白部に着弾した後、記録媒体の表層に定着することによりドット２４６が形成される。次に、図２５（ｃ）に示すように、記録ヘッドからカラー１のインク滴２４７が吐出され、記録媒体に形成されたクリアインクのドット２４６に重なるように着弾する。カラー１のインクはクリアインクと触れることによって凝集し、インクに含まれる溶剤は記録媒体内部に浸透し、図２５（ｄ）に示すように、インク滴２４７に含まれる色材は、図２４に示す場合と比べて記録媒体の表層により近い領域で定着し、ドット２４８が形成される。続いて、図２５（ｅ）に示すように、記録ヘッドからカラー２のインク滴２４９が吐出され、図２５（ｆ）に示すように、先に着弾したインク１のドット２４８に重なるように着弾する。記録媒体の表層には先に着弾したクリアインクドット２４６の成分が残っていることから、カラー２のインク滴２４９の色材は、図２４に示す例のように奥深く浸透することなく、カラー１のドット２４８の上側で定着する。
【００７７】
以上のように、２種類のインクとクリアインクを用いる場合、クリアインクを用いない図２４に示す場合と比べ、カラー１およびカラー２のインクの色材が記録媒体のより表層近くに定着する。その結果、ドット部の濃度が向上するとともに、その色調は、より上層部に定着するカラー２の色が支配的に見えることとなる。
【００７８】
図２６（ａ）〜（ｋ）は、図２４および図２５にて上述した、クリアインクを用いる場合と用いない場合の光学特性の違いを説明する図であり、カラー１インクとしてイエロー（Ｙ）インクを、カラー２インクとしてブラック（Ｋ）インクを用いた場合を示している。図２６（ａ）、（ｂ）、（ｃ）は、発光部３１のＲ、Ｇ、Ｂ光源の発光ダイオードそれぞれの波長特性をそれぞれ示している。
【００７９】
図２６（ｄ）は、記録媒体においてＹインク、Ｋインクがこの順に重なった場合（破線）と、クリアインク、Ｙインク、Ｋインクがこの順に重なった場合（実線）の、ドットが形成された部分の反射率の波長特性を示している。なお、図における破線および実線は、図２６（ｅ）〜（ｈ）においても、同様のことを意味している。
【００８０】
図２６（ｄ）に示すように、クリアインクを用いる場合（実線）は、全波長域で反射率が低く（反射濃度が高く）なる。また、クリアインク有り（実線）と、無し（破線）とを比べると、特定波長域で反射率を示す曲線の形が変化しているのが分かる。これは、図２４および図２５にて上述したように、クリアインクの有無に応じて、カラー１インクとカラー２インクの定着位置関係が入れ替わることによる色調の変化によるものである。具体的には、クリアインクが有る場合には、後に着弾したＫインクが上層に定着して支配的な色調となるため、全波長域で反射率が低く、その曲線形状は概ねフラットになる。一方、クリアインクが無い場合には、先に着弾したＹインクが上層に定着して支配的な色調となる。このため、図２６（ｃ）に示すＢ光源の波長のピーク付近の領域では反射率が比較的低いのに対し、図２６（ａ）、（ｂ）に示すＲ、Ｇ光源の波長のピーク付近の領域では反射率が比較的高くなっている。図２６（ｅ）は、記録媒体におけるドット形成部の吸収率の波長特性を示している。これは、上述した反射率を１００％から減算したものを表している。
【００８１】
図２６（ｆ）、（ｇ）、（ｈ）は、Ｒ、Ｇ、Ｂ光源下における、記録媒体の上記ドット形成部分からの反射光の波長特性を示している。クリアインクが有る場合（実線）は、ブラックが支配的な色調となるため、いずれの光源下においても反射光強度は弱く、従って、反射濃度は高くなる。一方、クリアインクが無い場合（破線）は、イエローが支配的な色調となるため、Ｒ、Ｇ光源下では、反射光強度が強く（反射濃度が低く）なるが、Ｂ光源下では弱く（反射濃度が高く）なる。この点から、クリアインクが無い場合のドット形成部における反射濃度が比較的低くなるＲ、Ｇ光源を選択することにより、クリアインクが有る場合と無い場合の反射濃度の差を大きくすることができる。
【００８２】
図２６（ｉ）、（ｊ）、（ｋ）は、Ｒ、Ｇ、Ｂ光源下それぞれで、クリアインクの有無による反射光の波長特性の差分を示している。それぞれの図において、斜線部の面積が反射光強度の差分の大きさを表しており、Ｒ、Ｇ光源では、Ｂ光源に比べて面積が大きくなっている。面積が大きいほど反射濃度の差が大きいため、検出精度は向上する。
【００８３】
なお、上例では、ＹインクとＫインクを順に打ちこむ場合について説明したが、色材インクの色調、打ち込み順、光源色を適切に組み合わせることにより、同様の効果を得ることができる。すなわち、ある光源色に対し、先に着弾するカラー１インクとしては反射濃度が低い色調であり、後に着弾するカラー２インクとしては反射濃度が高い色調を選択する。これにより、１種類の色材インク（単色）を用いる場合に比べて、反射濃度の変化量を大きくすることが可能となり、クリアインクが有る場合と無い場合の差分の検出性を向上させることができる。
【００８４】
＜本実施形態におけるクリアインクの記録位置調整＞
図２７は、本実施形態に係るクリアインクの記録位置調整処理を示すフローチャートである。また、図２８（ａ）〜（ｈ）は、本実施形態に係るクリアインクの記録位置調整における調整用パターンの記録を説明するための、記録媒体の模式的断面図である。なお、本実施形態のクリアインクの記録位置調整では、クリアインクの記録位置が調整対象であり、その基準位置のインクとしてＫインクを、検出補助インクとしてＹインクを用いる。すなわち、図２５（ａ）〜（ｆ）にて上述した、カラー１インクはＹインクに、カラー２インクはＫインクに、それぞれ対応する。そして、本実施形態では、光源色として赤色（Ｒ光源）を用いる。
【００８５】
図２７において、最初に、ステップ３０１で、クリアインク（調整対象インク）による記録位置調整用のパターン２８１（図２８（ａ））を記録する。本実施形態の調整用パターン２８１は、図９および図１０にて上述したものと同様の千鳥格子のパターンであり、図２８（ａ）、（ｅ）はそれぞれ、図１０（ａ）、（ｄ）に示すクリアインクによる調整用パターン記録を表したものである。
【００８６】
次に、ステップ３０２で、検出補助としてのＹインクによって、検出補助用パターン２８２（図２８（ｂ））を記録する。本実施形態の検出補助用パターン２８２は、その後にＫインクで記録する基準パターン２８３と同位置に、同様のパターンを記録する。図２８（ｂ）、（ｆ）は、検出補助用パターン２８２の記録の様子を表したものである。
【００８７】
次に、ステップ３０３で、基準対象インクとしてのＫインクによって、基準用パターン２８３（図２８（ｃ））を記録する。本実施形態の基準用パターン２８３についても、図９および図１０で説明したものと同様であり、図２８（ｃ）、（ｇ）はそれぞれ、図１０（ａ）、（ｄ）に示すＫインクによる基準用パターンの記録時の様子を表したものである。このように、基準用パターン２８３は、ステップＳ３０２で記録したＹインクの検出補助用パターン２８２の記録部に重ねて記録することとなる。
【００８８】
図２９は、図２７、図２８にて上述したように記録した、クリアインクの記録位置調整用パターンおよびその記録順序を示す図である。図２９に示すように、記録媒体に対して、クリアインクによる調整用パターン２８１、Ｙインクによる検出補助用パターン２８２、Ｋインクによる基準用パターン２８３が順に記録される。このようなパターンを、クリアインクの記録位置のずらし量を変えながら、図１４に示したのと同様に９通り記録する。以上の処理は、Ｘ方向およびＹ方向のそれぞれで行う。
【００８９】
図２７を再び参照すると、この記録の後、ステップ３０４で、Ｒ光源における光学特性の測定を行い、ステップ３０５で、適切な記録位置合わせ条件（調整値）を求める。さらに、ステップＳ３０６で、求めた調整値に基づき、Ｙ方向については、クリアインクの吐出データのシフト量を設定し（ステップ３０６）、Ｘ方向については、吐出タイミングの変更設定を行う（ステップ３０７）。
【００９０】
＜記録位置調整パターンの測定値比較＞
図３０は、本実施形態のクリアインクの記録位置調整における各パッチの反射濃度（実線）を、図１５にて上述した比較例に係るクリアインクの記録位置調整における各パッチの反射濃度値（破線）と、対比して説明する図である。図３０において、破線は、色材インクとしてＫインク単色（基準対象）を用いた場合の、記録位置ずれに応じた反射濃度の変化を示しており、実線は、色材インクとしてＹインク（検出補助）およびＫインク（基準対象）を用いた場合の反射濃度の変化を示している。反射濃度が最小なる点に対応するずれ量（Ｘ軸）がゼロは、図１０（ａ）または図２８（ｄ）に示す状態、すなわち、基準のＫインクに対するクリアインクの記録位置が合っている状態に対応している。一方、反射濃度値が最大となるずれ量の点は、図１０（ｄ）または図２８（ｈ）の状態、すなわち、基準のＫインクに対するクリアインクの記録位置が大きくずれている状態に対応している。
【００９１】
Ｋインク単色を用いたクリアインクの記録位置調整における反射濃度値の変化幅を１．０すると、本実施形態のクリアインクの記録位置調整における反射濃度値の変化幅は約１．８となり、その変化量が大きくなっている。このように、２色の色材インクの組み合わせ、記録順、測定に用いる光源色、を適切に組み合わせることにより、クリアインクが有る場合と無い場合における光学特性の差分を増し、その検出性を向上させることが可能となる。
【００９２】
＜センサ光源色と検出補助インク、基準対象インクの組み合わせ＞
上述した実施形態の説明では、光源色として赤色（Ｒ）光源を、記録媒体に先に付与する検出補助用色材インクとしてＹインクを、後に付与する基準色材インクとしてＫインクを使用するものであるが、他の組み合わせにおいても同様の効果を得られる組み合わせが存在する。
【００９３】
上述したように、本発明は、検査に使用する光源色に対して、先に付与する検出補助用色材インクとしては反射濃度が低い色調のインクを、後に付与する基準対象用色材インクとしては反射濃度が高い色調のインクを選択する。代表的な組み合わせとしては、センサ光源色としてのＲ、Ｇ、Ｂと、色材インクとしてのＣ、Ｍ、Ｙ、Ｋが理想的な色と仮定すると、赤色（Ｒ）光源下では、検出補助用としてはＹインクまたはＭインクを、基準対象用としてはＫインクまたはＣインクを選択する。緑色（Ｇ）光源下では、検出補助用としてはＣインクまたはＹインクを、基準対象用としてはＫインクまたはＭインクを、また、青色（Ｂ）光源下では、検出補助用としてＭもしくはＣを、基準対象用としてはＫもしくはＹを、組み合わせて選択する。なお、インクジェット記録装置で使用されるＣ、Ｍ、Ｙ、Ｋなどの色材インクは色としては理想的なＣ、Ｍ、Ｙ、Ｋではないことが多く、また、使用する記録媒体による発色性や、記録装置の構成によりドット重ね順の制約もある。この点から、記録に用いる記録媒体に対して、上記条件を変えながら実際にパターンを記録し最適な組み合わせを予め求めることが望ましい。
【００９４】
＜光学特性の検出について＞
上述した実施形態の説明では、光学特性を検出する手段として、Ｒ、Ｇ、Ｂなどの特定のピーク波長をもつ色付き光源を照射し、その反射光強度（反射濃度）を測定する反射型光学センサを用いたが、特定波長域における光学特性を検出する手段であれば、他の手段を用いてもよいことはもちろんである。例えば、白色光源から白色光を照射し、増幅した反射光をＲＧＢの各カラーフィルタにより分光し、撮像素子であるＣＣＤセンサによって読み取ることにより、ＲＧＢ情報を取得することもできる。また、ＲＧＢ各光源による反射光を撮像素子であるＣＭＯＳセンサによって読み取ることにより、ＲＧＢ情報を取得することもできる。これらの場合、取得したＲＧＢ情報のうち適切なチャンネルにおける輝度値を、上述した反射濃度と読み替えることで同様の効果を得ることができる。
【００９５】
また、他の形態として、目視によって検査を行う場合は、先に付与する検出補助用色材インクとして、白色光による反射濃度が低い（明度が高い）色調のインクを、後から付与する基準色材インクとして、白色光による反射濃度が高い（明度が低い）色調のインクを選択する。これにより、クリアインクと基準色材インクとが重なる場合と重ならない場合とで、反射濃度（明度）の変化量を大きくすることができる。そして、ユーザは、以上のようにして記録した、図１６に示すような記録位置調整用パターンを観察し、９つのパッチの中から、図３０にて説明したように、最も濃度が低いパッチを選択し、そのパッチに対応するずれ量を調整値として入力する。インクの具体的な組み合わせの一例としては、検出補助用色材インクとしてはＹインク、基準色材インクとしてはＫインクを用いる。
【００９６】
＜検査パターンの変形例＞
なお、本実施形態においては検出補助用パターンとして、基準用パターンと同位置、同形状のパターンを記録したが、基準用パターンの記録部全体を含んでいれば、本発明の効果を得ることが可能である。
【００９７】
図３１（ａ）〜（ｈ）は、本変形例に係る検出補助用パターン２８４および基準用パターン２８３の記録の様子を示す模式的断面図であり、図２８（ａ）〜（ｈ）と同様の図である。また、図３２は、図３１に示す記録位置調整用パターンを記録するときの記録順序を示す図である。これら図に示すように、検出補助用パターン２８４は、基準用パターン２８３の全体を含むように記録される。
【００９８】
すなわち、Ｒ光源下では、Ｙインクの記録部は反射濃度が低いため、Ｋインクの基準用パターン２８３以外の領域にＹインクが存在した場合でも、記録位置調整用パターン全体の反射濃度値への影響は軽微である。従って、上述したように、光源色に対して検出補助用色材インクは反射濃度が低いものを、基準対象用色材インクとしては反射濃度が高いものを選択すれば、図２８で説明した場合と同様に、図３１（ｄ）と図３１（ｈ）に示す状態の検出値の差分は、基準用インクとして１つのインクを用いる場合と比べて大きくなる。このような検出補助パターン２８４を採用することにより、色材インク同士の記録位置を正確に合わせなくても、クリアインクの記録位置調整の精度を向上させることが可能となる。結果として、例えば、記録位置調整としてクリアインクの記録位置調整のみを実施することや、クリアインクの記録位置調整前に色材インクの記録位置調整値をフィードバックする手間を省くことができ、制御負荷や所要時間の軽減することができる。また、一連動作で色材インクの記録位置調整パターンおよびクリアインクの記録位置調整パターンを一度に記録することができ、使用する記録媒体の数を削減することも可能となる。
【００９９】
上述した実施形態の例では、Ｘ方向（搬送方向）およびＹ方向（ノズル列方向）の記録位置合わせを行うものとしたが、この形態に限られないことはもちろんである。必要に応じていずれか一方向についての記録位置調整であってもよい。また、上述の実施形態ではフルマルチヘッドによるものであったが、シリアルスキャン方式の記録装置においても、例えば、キャリッジの右方向の移動における記録位置と左方向の移動における記録位置との位置合わせなどに本発明を適用できるのはもちろんである。
【０１００】
さらに、クリアインクの記録位置調整に使用するパターンは、例えば色材インクの記録位置調整で用いたような罫線のパターンでも良く、ずらし量に伴って重なり率が変わるものであれば、適宜変更可能である。また、パターンサイズも実装する記録装置の調整レンジに応じて変更すことができる。
【０１０１】
（第２実施形態）
＜最適な２色の色材インクと光源の組み合わせの選択＞
上述した第１の実施形態では、光源色として赤色（Ｒ光源）を、カラー１インクとしてＹインクを、カラー２インクとしてＫインクを用いてクリアインクの記録位置調整を行う形態であるが、記録位置調整に使用する記録媒体の特性（浸透性、発色など）や、搭載している色材インクの色調（濃、淡など）、搭載している光源色などによって、検査に最適な組み合わせが異なる場合がある。
【０１０２】
図３３は、本発明の第２実施形態に係るクリアインクの記録位置調整処理を示すフローチャートである。本実施形態のクリアインクの記録位置調整では、記録位置調整パターンの記録に先立ち、最も検出性の高い色材インク２色の組み合わせと光源色の選択を行う（ステップ４００）。この選択後の、ステップ４０１〜４０７の処理は、上述した第１実施形態に係るステップ３０１〜ステップ３０７と同様であり、それらの説明は省略する。
【０１０３】
図３４は、ステップ４００の、検査対象のインクと光源色の選択処理を示すフローチャートである。最初に、ステップ５０１で、色材インクを２色選択し、クリアインク無しで、これらインクを重ねてパッチを記録する。このときのドット配置パターンは、各色ともに１２００ｄｐｉの１つの画素に１つのドットを配置した、いわゆるベタパターンである。本実施形態は、色材インクとしてＣ、Ｍ、Ｙ、Ｋインクの４色を搭載しており、想定可能な６通り全ての組み合わせ（ＣＭ、ＣＹ、ＣＫ、ＭＹ、ＭＫ、ＹＫ）で、各色インクを重ねたベタのパッチを記録する。なお、本実施形態は、フルラインタイプの記録ヘッドを用い、記録媒体の搬送方向は一方向であることから、通常、記録動作において実現可能な２色のインクの組み合わせは、記録順も含めて上述した６通りが総てである。次に、ステップ５０２では、上述のステップ５０１の同じ組みの色材インクに、さらにクリアインクを加えた組合せで、同じベタのパッチを記録する。
【０１０４】
次に、ステップ５０３で、記録した計１２種類のベタパッチについて、搭載している各光源色（Ｒ、Ｇ、Ｂ）における光学特性を測定し、ステップ５０４で、クリアインクの有無によって反射濃度差が最大となる２色のインクの組と、光源色の組み合わせを選択する。そして、ステップ５０５で、選択した組みの２色のインクが、通常記録動作において、反射濃度が低い色材インク、高い色材インクの順序で吐出されているか否かを判断する。反射濃度について、上述した順番になっていないときは、ステップ５０６で、選択した組み合わせを除き、再び、ステップＳ５０４で、２色の色材インクと光源色の組み合わせを選択する。ステップ５０５で、反射濃度が上述の順番になっていると判断したときは、ステップ５０７で、選択した２色の色材インクと光源色を、クリアインクの記録位置調整に使用する組み合わせとして設定する。
【０１０５】
他の形態として、選択の対象となる色材インクの組みの数をより少なくする形態がある。すなわち、クリアインクの記録位置調整で使用する記録媒体において、検出補助に用いる色材インクと基準とする色材インクのそれぞれのインクのベタ記録の反射濃度の差が大きい方が、クリアインク有無による変化量が大きくなる傾向がある。この傾向を利用することで、より簡易に適切な色材インク２色の組み合わせと光源色の選択することができる。具体的には、Ｒ、Ｇ、Ｂなどの２種類以上の光源と、Ｃ、Ｍ、Ｙ、Ｋなどの３色以上の色材インクを用いる場合、クリアインクの記録位置調整に先立ち、各色材インクで単色ベタパッチを記録して各色光源下での反射濃度を測定し、反射濃度差が最も大きくなる光源と色材インク２色の組み合わせを選択して、クリアインクの検査を実施する。
【０１０６】
図３５は、本形態に係る、検査対象のインクと光源色の選択処理を示すフローチャートである。本実施形態の選択処理を用いることにより、インクと光源の組み合わせ選択のためのベタ記録のパッチの数は、Ｃ、Ｍ、Ｙ、Ｋの４種類となり、搭載しているインクの種類が多い場合などには、インクと光源の組み合わせ選択のために記録するパッチの数を低減することができる。
【符号の説明】
【０１０７】
Ｈ２００ａ〜ｊ    記録チップ
Ｈ２０１〜Ｈ２０８    ノズル列
３０    反射型光学センサ
３１    発光部
３２    受光部
３３    ＣＰＵ
３４    ＲＯＭ
３５    ＲＡＭ
３７    記録位置調整部
Ｐ    記録媒体
【図１】
0006512945.tif 000002
【図２】
0006512945.tif 000003
【図３】
0006512945.tif 000004
【図４】
0006512945.tif 000005
【図５】
0006512945.tif 000006
【図６】
0006512945.tif 000007
【図７】
0006512945.tif 000008
【図８】
0006512945.tif 000009
【図９】
0006512945.tif 000010
【図１０】
0006512945.tif 000011
【図１１】
0006512945.tif 000012
【図１２】
0006512945.tif 000013
【図１３】
0006512945.tif 000014
【図１４】
0006512945.tif 000015
【図１５】
0006512945.tif 000016
【図１６】
0006512945.tif 000017
【図１７】
0006512945.tif 000018
【図１８】
0006512945.tif 000019
【図１９】
0006512945.tif 000020
【図２０】
0006512945.tif 000021
【図２１】
0006512945.tif 000022
【図２２】
0006512945.tif 000023
【図２３】
0006512945.tif 000024
【図２４】
0006512945.tif 000025
【図２５】
0006512945.tif 000026
【図２６】
0006512945.tif 000027
【図２７】
0006512945.tif 000028
【図２８】
0006512945.tif 000029
【図２９】
0006512945.tif 000030
【図３０】
0006512945.tif 000031
【図３１】
0006512945.tif 000032
【図３２】
0006512945.tif 000033
【図３３】
0006512945.tif 000034
【図３４】
0006512945.tif 000035
【図３５】
0006512945.tif 000036